(57)【要約】【課題】サウナ装置内外への移動をスムーズに行えるようにして、優れた温熱治療効果が得られるサウナ装置の使用促進を図る。【解決手段】扉パネルを含む複数の側面パネルと天井パネルと床パネルとを有する本体と、前記本体によって形成される略閉空間内に設けられた熱源と、前記本体内に設けられており扉パネルに向けて移動可能な椅子と、前記椅子を移動させるための回転体と、前記椅子の移動方向を規定するレールと、を備え、前記床パネルは、前記回転体と前記椅子との接続体に対応する空間部が形成され、前記レールは、前記扉パネルに各々接続される側面パネルと前記椅子との間に設けられ、前記熱源は、前記椅子と前記床パネルとの間に設けられ、前記扉パネルの開状態を保持する保持部が設けられている。
2018047824.tif 000002
【特許請求の範囲】
【請求項１】
扉パネルを含む複数の側面パネルと天井パネルと床パネルとを有する本体と、  前記本体によって形成される略閉空間内に設けられた熱源と、  前記本体内に設けられており扉パネルに向けて移動可能な椅子と、を備えるサウナ装置。
【請求項２】
前記椅子を移動させるための回転体と、  前記椅子の移動方向を規定するレールと、を備える請求項１記載のサウナ装置。
【請求項３】
前記床パネルは、前記椅子を移動させるための回転体と前記椅子との接続体に対応する空間部が形成されている、請求項１記載のサウナ装置。
【請求項４】
前記椅子の移動方向を規定するレールは、前記扉パネルに各々接続される側面パネルと前記椅子との間に設けられている請求項１記載のサウナ装置。
【請求項５】
前記熱源は、前記椅子と前記床パネルとの間に設けられる請求項１記載のサウナ装置。
【請求項６】
前記扉パネルの開状態を保持する保持部が設けられている請求項１記載のサウナ装置。  
【発明の詳細な説明】
【技術分野】
【０００１】  本発明は、サウナ装置に関し、特に、慢性心不全、閉塞性動脈硬化症、慢性疲労症候群、繊維性筋痛症を含む慢性疼痛、膠原病に伴う難治性潰瘍、人工透析患者の皮膚掻痒、術後腸閉塞などの治療、および糖尿病など生活習慣病の血管内皮機能低下の改善やシェーグレン症候群など自己免疫疾患の治療、不眠・食欲不振・便秘・抑うつ気分など全身状態の改善などに用いられる乾熱式のサウナ装置に関する。
【背景技術】
【０００２】  一般的にサウナ浴は、サウナ室内に電気ヒータおよび蒸気発生器を配置して室内を８０℃〜１００℃の湿熱雰囲気に保持するようになっている。このため、サウナ室は、健常者にとっては積極的に発汗を促して、心身のリラックス効果や疲労回復等に有効である。しかし、心不全、高血圧あるいは不整脈等の患者や高齢者にとっては、心臓や血管系の負担が大きくなるために、不適切であるとされていた。【０００３】  近年、気持ちよい低温サウナ浴により全身の動脈・静脈の拡張作用に加え、自律神経機能や神経体液性ホルモン分泌の改善、血管新生作用や精神的・身体的ストレスの寛解作用により、慢性心不全、閉塞性動脈硬化症、慢性疲労症候群、繊維性筋痛症を含む慢性疼痛、膠原病に伴う難治性潰瘍、人工透析患者の皮膚掻痒、術後腸閉塞を含む術後回復の治療、糖尿病など生活習慣病の血管内皮機能低下の改善、シェーグレン症候群など自己免疫疾患の治療、さらに不眠・食欲不振・便秘・抑うつ気分などの全身状態が有意に改善することが明らかになっている。【０００４】  これらの効果は、適切な入浴温度・入浴時間・入浴後の管理によって得られることが判明しており、特に乾熱式でサウナ浴の温度をほぼ均等の６０℃に保つことにより、患者の血管内皮細胞から産生される一酸化窒素合成酵素（ｅＮＯＳ）の発現が有意に増加して、全身の血管拡張と血管新生は促進されることが確認されている。【０００５】  例えば、この種の均等低温サウナは、糖尿病の合併症の一つである閉塞性動脈硬化症に極めて有効で、疼痛軽減・歩行距離延長・難治性潰瘍の治癒・下肢/ 上肢の血圧比の改善・レーザードプラー血流の改善などが得られ、ハムスターやマウスを用いた動物実験により、一酸化窒素合成酵素（ｅＮＯＳ）の著明な発現がその効果発現機序に深く関与していることも明らかになっている。【０００６】  このような温熱療法に用いる均等低温サウナ装置として、ガス遠赤外線ヒータと、天井側の電熱ヒータとを設けたものが提案されている（(特許文献１）。【特許文献１】実公平６−５７９０号公報
【発明の開示】
【発明が解決しようとする課題】
【０００７】  しかし、従来のサウナ装置では、心不全、高血圧あるいは不整脈等の患者や高齢者が使用する場合についての配慮が十分ではなく、特に、サウナ装置内外への移動をスムーズにすることについて検討がされていない。この点が十分でないと、せっかくのサウナ装置の使用がなされないことにも繋がりかねないので、対策が講じられるべきである。【０００８】  特に、サウナ装置が小型で、使用者がサウナ装置内で立ち上がれない高さである場合、或いは、使用者が車いすで移動される場合には、サウナ装置内外へのスムーズな移動を可能とすることには意義がある。【０００９】  そこで、本発明は、サウナ装置内外への移動をスムーズに行えるようにして、優れた温熱治療効果が得られるサウナ装置の使用促進を図ることを課題とする。
【課題を解決するための手段】
【００１０】  上記の課題を解決するために、本発明のサウナ装置は、  扉パネルを含む複数の側面パネルと天井パネルと床パネルとを有する本体と、  前記本体によって形成される略閉空間内に設けられた熱源と、  前記本体内に設けられており扉パネルに向けて移動可能な椅子と、を備える。【００１１】  前記椅子を移動させるための回転体と、  前記椅子の移動方向を規定するレールと、を備えるとよい。【００１２】  前記床パネルは、前記回転体と前記椅子との接続体に対応する空間部が形成されているとよい。【００１３】  前記レールは、前記扉パネルに各々接続される側面パネルと前記椅子との間に設けられているとよい。【００１４】  前記熱源は、前記椅子と前記床パネルとの間に設けられるとよい。【００１５】  前記扉パネルの開状態を保持する保持部が設けられているとよい。
【発明の効果】
【００１６】  本発明によれば、扉パネルに向けて移動可能な椅子が設けられているので、サウナ装置の使用の前後に、サウナ装置の扉を開けて椅子を引き出した状態で、使用者が椅子に乗り降りができるので、サウナ装置内外の移動をスムーズに行うことができる。
【発明を実施するための形態】
【００１７】  以下、本発明の実施形態のサウナ装置について図面を参照して説明する。  図１〜図６は、本実施形態のサウナ装置の六面図である。図１には正面図、図２には平面図、図３には右側面図、図４には左側面図、図５には平面図、図６には底面図をそれぞれ示している。
【００１８】  図１等に示すサウナ装置は、病院などの医療施設、老人ホーム、家庭などに好適に設置できるものである。なお、このサウナ装置は、直方体形状のものを示しているが、例えば、立方体形状のものでよいし、円筒形状のものでもよく、その概形は不問である。
【００１９】  このサウナ装置は、上面には天井パネル１０が、底面には床パネル２０が、正面には扉パネル３０が、左側面には左側面パネル４０が、右側面には右側面パネル５０が、背面には背面パネル６０が、それぞれ設けられている。天井パネル１０及び床パネル２０を除いたパネルを総称して「側面パネル」と称する。
【００２０】 天井パネル１０及び側面パネル３０，４０，５０，６０は、いずれも、石富ボードと耐水ベニヤ板との間にグラスツールを挟んだ不燃・断熱性の積層パネルである。床パネル２０は、カルストーン貼りの不燃材を貼付したパネルとすることができる。
【００２１】  扉パネル３０は、ヒンジ部３１を介して左側面パネル４０に接続されている。扉パネル３０は、その中央左寄りに扉パネル３０を開くための取っ手３５が取り付けられている。取っ手３５の近傍には、図示しない点滴用ライン、酸素吸入用カニューレ、イヤホンなどを通すための開口部３６が形成されていて、サウナ浴中に点滴や酸素吸入が可能で、音楽やビデオ鑑賞も可能である。
【００２２】  また、扉パネル３０の中央上方には、サウナ装置の外から中が又は中から外が見えるようにガラス窓が取り付けられた窓枠３２が位置する。このガラス窓の下方には、起倒自在なテーブル３３が取り付けられている。
【００２３】  テーブル３３は、その下部にテーブル３３の使用時にテーブル３３を起こした位置で固定するためのストッパー３４が取り付けられている。ストッパー３４は、その中央部にヒンジ機構を有していて、ヒンジ機構を中心としてストッパー３４が伸びたときには、テーブル３３が起きるようにしてある。
【００２４】  扉パネル３０の上側には、コントロールユニット８０が位置する。コントロールユニット８０には、サウナ装置内の目標温度の設定部、サウナ装置の使用時間表示、サウナ装置内の測定温度表示などを実現するコントロール部８１と、サウナ装置の電源のオン／オフを切り替える電源スイッチ８２と、電源スイッチ８２がオン状態である場合に点灯する点灯部８３とが設けられている。
【００２５】  なお、コントロールユニット８０には、他の表示部などを設けてもよく、また、コントロール部８１等についても必ずしも設けられていなくてもよい。さらに、サウナ装置の使用時間を計測するための時計センサ、サウナ装置内の温度を測定するための温度センサは、例えば、コントロールユニット８０の裏面などに設ければよい。
【００２６】  ちなみに、サウナ装置内の目標温度は、例えば、６０℃程度が考えられる。一例としては、後述する椅子７１（図８）の下側に位置する熱源と、左側面パネル４０に取り付けられている熱源４１（図８）とを共にオン状態として、目標温度である６０℃近傍までサウナ装置内の温度を上昇させ、その後に、熱源４１のみオン状態を継続することが考えられる。
【００２７】  また、床パネル２０には、その四隅に、サウナ装置の設置脚９０が設けられている。設置脚９０は、床パネル２０が直に建物の床などに接することで、その接地面が痛むことを防止するものである。なお、図６には、車輪１００及び空間部２１も示しているが、これらについては、図９を用いて後述する。また、設置脚９０に代えてキャスターを取り付けることで、サウナ装置を使用したい場所に搬送しやすいようにしてもよい。
【００２８】  さらに、背面パネル６０には、図示しない開口部を設けて、そこに小型ファンを設けることもできる。こうすると、そのファンを駆動するによって、サウナ装置の使用中にはサウナ装置内の温度を均一化することができるし、サウナ装置の使用後にはサウナ装置内の空気を排気することで、サウナ装置内の温度をサウナ装置外の温度まで下げることができる。
【００２９】  また、サウナ装置内には、椅子７１（図８）が設けられている。図１には、椅子７１に取り付けられている背もたれ７０のみが、窓ガラス越しに見える状態を示している。
【００３０】  図７は、図１等に示すストッパー３４が折れたときの状態を示す図である。既述のように、テーブル３３は、起倒自在とされており、ストッパー３４が折れたときには、図７に示すようにテーブル３３が倒れるようにされている。
【００３１】  なお、テーブル３３は、必ずしも設ける必要があるわけではないが、テーブル３３を設けておくと、サウナ装置の使用時間を計時するためのタイマーを置いたり、看護師等がサウナ装置の使用履歴などを記載する記録用紙を置いたり、サウナ装置の使用が好きな映像又は音楽を再生するためのパーソナルコンピュータなどを置いたり、サウナ装置の使用者がサウナ装置の使用後の水分補給用の飲料水等を置いたりできるので便利である。
【００３２】  図８は、図１の扉パネル３０が開状態である場合の斜視図である。図８には、図１等に示した部分の他に、サウナ装置の使用者が座る椅子７１と、椅子７１に設置されている肘掛け７２と、椅子７１の前方下側に位置する足受け７３と、椅子７１が設置されている足置き７４とを示している。これらについては、例えば木製とすることが考えられるが、樹脂製などとしてもよい。
【００３３】  また、左側面パネル４０の下方には面状の熱源４１が取り付けられている。熱源４１は、その表面が火傷防止用の植毛ネットカバーで覆うとよい。熱源４１自体は、例えば、電熱式遠赤外線パネルヒータを用いることができる。熱源４１は、例えば２ｋＷ／ｈ〜４ｋＷ／ｈ程度の出力のものとすればよい。
【００３４】  左側面パネル４０と扉パネル３０との間には、扉パネル３０の開状態を保持する保持部（例えば、ドアダンパー）３７が設けられている。これにより、扉パネル３０の開状態を保持してから、後述するように椅子７１を扉パネル３０側に引き出して、サウナ装置の使用者が椅子７１に座ったり椅子７１から立ったりする際に、扉パネル３０が閉状態となることを防止できる。
【００３５】  なお、肘掛け７２は必ずしも必要ではないが、これを設置しておくと、サウナ装置の使用者がサウナ装置の使用時に疲労しにくくなるという利点があるし、後述するように椅子７１を扉パネル３０側に引き出して、椅子７１に座ったり椅子７１から立ったりする際に、手をかけることができるので便利であるという利点がある。
【００３６】  また、図８には、面状の熱源４１が左側面パネル４０の下方に取り付けられている状態を示しているが、同様の熱源（図示せず）が右側面パネル５０の同様の位置にも取り付けられている。加えて、椅子７１と足置き７４との間であって、足受け７３の背面にも、図示しない熱源を取り付けてもよい。この熱源は、８ｋＷ／ｈ〜１２ｋＷ／ｈ程度の出力のものとすればよい。
【００３７】  この熱源は、電熱式による遠赤外線放射用として、例えば、絶縁基板に炭素粉末とポリエチレン等の結合材を混合したものを塗布して所要の電気抵抗を有する抵抗膜を形成し、全長に亘り導線を取り付け、表面に電気不良導体の耐熱防水膜を被着したものとすることができる。
【００３８】  図９は、図１の扉パネル３０が開状態である場合の正面図である。図９には、図８等に示した部分の他に、サウナ装置本体の接地面上を転がる回転体であるところの車輪１００と、椅子７１の足置き７４の底面に位置する取付具１２０と、取付具１２０と車輪１００とを接続する接続体１１０と、右側面パネル５０と椅子７１との間に設けられているレール１３０と、を示している。
【００３９】  車輪１００を設けることによって、椅子７１が移動可能となる。車輪１００は、足置き７４の底面の前方、すなわち、扉パネル３０側に位置している。これに対応して、床パネル２０の前方、すなわち、扉パネル３０側には、接続体１１０が通る空間部２１が形成されている。なお、空間部２１が開放状態であると、サウナ装置内の温度が低下する可能性があるので、接続体１１０の周辺を図示しないゴムパッキンなどで覆うとよい。
【００４０】  また、レール１３０を設けることによって、椅子７１の移動方向が規定される。図９には、レール１３０は、右側面パネル５０と椅子７１との間に設けられている状態を示しているが、実際には、左側面パネル４０と椅子７１との間にも設けられている。
【００４１】  なお、レール１３０の位置は、図９に示す場合に限られず、これよりも下方としてもよいし、上方としてもよい。また、レール１３０は、例えば、椅子７１を引き出した場合に、背もたれ７０の位置が、扉パネル３０の閉状態の位置まで移動する条件とするとよい。
【図面の簡単な説明】
【００４２】
【図１】本発明の実施形態のサウナ装置の正面図である。
【図２】本発明の実施形態のサウナ装置の平面図である。
【図３】本発明の実施形態のサウナ装置の右側面図である。
【図４】本発明の実施形態のサウナ装置の左側面図である。
【図５】本発明の実施形態のサウナ装置の平面図である。
【図６】本発明の実施形態のサウナ装置の底面図である。
【図７】図１等に示すストッパー３４が折れたときの状態を示す図である。
【図８】図１の扉パネル３０が開状態である場合の斜視図である。
【図９】図１の扉パネル３０が開状態である場合の正面図である。
【符号の説明】
【００４３】１０  天井パネル２０  床パネル２１  空間部３０  扉パネル３１  ヒンジ部３１３２  窓枠３３  テーブル３４  ストッパー３５  取っ手３６  開口部３７  保持部４０  左側面パネル４１  熱源５０  右側面パネル６０  背面パネル７０  背もたれ７１  椅子７２  肘掛け７３  足受け７４  足置き８０  コントロールユニット８１  コントロール部８２  電源スイッチ８３  点灯部９０  設置脚（キャスター）１００  車輪１１０  接続体１２０  取付具 
【図１】
2018047824.tif 000003
【図２】
2018047824.tif 000004
【図３】
2018047824.tif 000005
【図４】
2018047824.tif 000006
【図５】
2018047824.tif 000007
【図６】
2018047824.tif 000008
【図７】
2018047824.tif 000009
【図８】
2018047824.tif 000010
【図９】
2018047824.tif 000011
【国際調査報告】
2018047824.tif 000012
2018047824.tif 000013
2018047824.tif 000014
2018047824.tif 000015